(57)【要約】【課題】米袋３の段積みと積み降ろしが容易であり、段積みした米袋３を比較的容易に昇降可能な米袋３の保冷庫を提供することである。【解決手段】正面側に開閉扉２を、内部に米袋３を段積みする収納室５をそれぞれ設け、該収納室５は左右方向に米袋３を３袋並列して段積可能なスペースを備え、収納室５内の左右中央部に米袋３を載置して昇降動作可能な米袋リフト装置６を配置している保冷庫１であり、該米袋リフト装置６は米袋３を載置する載置板７と、載置板７を上下方向に昇降動作させる昇降動作装置を備え、前記米袋リフト装置６の左右両側にはそれぞれ１袋分の米袋３を段積可能なスペースを有している。【選択図】図１
2014211287.tif 000002
【特許請求の範囲】
【請求項１】
正面側に開閉扉（２）を設け、内部に米袋（３）を段積みする収納室（５）を設け、該収納室（５）は左右方向に米袋（３）を並列して段積可能なスペースを有し、収納室（５）内の左右中央部に米袋（３）を載置して昇降動作可能な米袋リフト装置（６）を配置し、該米袋リフト装置（６）は米袋（３）を載置する載置板（７）と、該載置板（７）を上下方向に昇降動作させる昇降動作装置を備え、前記米袋リフト装置（６）の左右両側にはそれぞれ米袋（３）を段積可能なスペースを有することを特徴とする保冷庫。
【請求項２】
載置板（７）は収納室（５）内の後端部を支点に横方向の軸心を中心に回動自在で、収納姿勢と袋載置姿勢に切り替えることができる構成であることを特徴とする請求項１記載の保冷庫。
【請求項３】
載置板（７）には載置した米袋（３）の左右両側を支持する取っ手（９）を設けたことを特徴とする請求項１又は請求項２記載の保冷庫。
【請求項４】
取っ手（９）を左右側へ折り曲げ可能な構成としたことを特徴とする請求項３記載の保冷庫。
【発明の詳細な説明】
【技術分野】
【０００１】
この発明は、複数の米を入れた袋を収容する米袋保冷庫に関する。
【背景技術】
【０００２】
従来、米を入れた袋を収容する米袋保冷用の収納庫として、米袋を横姿勢にして複数個積み重ねて収容する保冷庫が知られている（特開２００８−２７９２号公報）。
【先行技術文献】
【特許文献】
【０００３】
【特許文献１】特開２００８−２７９２号公報
【発明の概要】
【発明が解決しようとする課題】
【０００４】
前記特許文献１記載の発明は、前面に設けた扉を開いた上で、多数の米袋を横積みに積み重ねて収容し、空調機により保冷状態にして保存する米袋保冷庫でもある。この米袋保冷庫内の積み重ねた米袋を上下移動させるチェーン方式のリフト装置が設けられている。このリフト装置を用いて３段以上積み重ねた米袋を上昇させるにはリフト装置に掛かる負荷が大きくなり過ぎる場合がある。
【０００５】
そこで、本発明の課題は米袋の段積みと積み降ろしが容易であり、段積みした米袋を比較的容易に昇降可能な米袋の保冷庫を提供することである。
【課題を解決するための手段】
【０００６】
上記本発明の課題を解決するために次のような解決手段を採用する。  
すなわち、請求項１記載の発明は、正面側に開閉扉（２）を設け、内部に米袋（３）を段積みする収納室（５）を設け、該収納室（５）は左右方向に米袋（３）を並列して段積可能なスペースを有し、収納室（５）内の左右中央部に米袋（３）を載置して昇降動作可能な米袋リフト装置（６）を配置し、該米袋リフト装置（６）は米袋（３）を載置する載置板（７）と、該載置板（７）を上下方向に昇降動作させる昇降動作装置を備え、前記米袋リフト装置（６）の左右両側にはそれぞれ米袋（３）を段積可能なスペースを有することを特徴とする保冷庫である。
【０００７】
請求項２記載の発明は、載置板（７）は収納室（５）内の後端部を支点に横方向の軸心を中心に回動自在で、収納姿勢と袋載置姿勢に切り替えることができる構成であることを特徴とする請求項１記載の保冷庫である。
【０００８】
請求項３記載の発明は、載置板（７）には載置した米袋（３）の左右両側を支持する取っ手（９）を設けたことを特徴とする請求項１又は請求項２記載の保冷庫である。
請求項４記載の発明は、取っ手（９）を左右側へ折り曲げ可能な構成としたことを特徴とする請求項３記載の保冷庫である。
【発明の効果】
【０００９】
請求項１記載の発明によれば、米袋リフト装置６に米袋３を載置し、載置板７から左右に米袋３を振り分けるため、米袋３を段積みし易い。また米袋リフト装置６の左右のスペースに段積している米袋３を、積み下ろし易い。さらに、米袋リフト装置６の左右列に米袋３を段積させた後、載置板７を上昇させることで、左右中央部に米袋３を段積み可能となり、収納室５のスペースを有効に利用できる。
【００１０】
請求項２記載の発明によれば、請求項１記載の発明の効果に加えて、米袋リフト装置６を使用しないときには載置板７を収納室５内の後ろ側に収納させることで収納室５内のスペースを最大限利用できる。
【００１１】
請求項３記載の発明によれば、請求項１又は２記載の発明の効果に加えて、米袋リフト装置６を利用した米袋３の昇降時に米袋３を載置板７上から落とすおそれがなくなる。
請求項４記載の発明によれば、請求項３記載の発明の効果に加えて、載置板７上の米袋３を米袋リフト装置６の左右両側へ案内できる。
【図面の簡単な説明】
【００１２】
【図１】本発明の一実施形態による前扉を開いた状態での米袋を収容した保冷庫の外観斜視図である。
【図２】図１の保冷庫内に設けられる載置板の斜視図（図２（ａ））と図２（ａ）のＳ−Ｓ線断面矢視図（図２（ｂ））である。
【図３】本発明の一実施形態による前扉を開いた状態での米袋を収容した保冷庫の外観斜視図である。
【図４】本発明の一実施形態による前扉を開いた状態での米袋を収容した保冷庫の外観斜視図である。
【発明を実施するための形態】
【００１３】
本発明の実施例を図面と共に説明する。  
図１に正面側に開閉扉２を設け、内部に米袋３を段積みする収納室５を設け、収納室５を構成する筐体の上部には制御部を内蔵した空調機１１を取り付けた保冷庫１の外観斜視図を示す。  
【００１４】
図１に示す例では、保冷庫１の収納室５内には左右方向に米袋３を３袋並列して段積ができる構成であり、収納室５内には左右中央部に米袋３を載置して昇降動作可能な米袋リフト装置６を設け、米袋リフト装置６の左右両側にはそれぞれ１袋分の米袋３を段積可能なスペースを設けている。
【００１５】
また、米袋リフト装置６は米袋３を載置する載置板７と、載置板７を上下方向に昇降動作させる昇降動作装置（図示はしないがモータを使用している）を備えている。  
米袋リフト装置６の米袋３を載置する載置板７は奥側を横軸芯に前後方向に回動することで、奧壁に沿って折りたためる構成である。図１には米袋３を縦置きとして載置する載置板７を示す。載置板７は前後方向に長い構成であり、その左右両側には取っ手９，９を設けているので、載置板７上に縦置きした米袋３でも転倒することなく、安定して保持できる。
【００１６】
図２（ａ）には、取っ手９を載置板７上に起立させる状態を示し、図２（ｂ）に図２（ａ）のＳ−Ｓ線断面矢視図を示すように、取っ手９と載置板７の裏面との間に取り付けたスプリング１０の作用図を示す。取っ手９はスプリング１０で常時付勢されているので、載置板７上に起立状態となっているが、一対の取っ手９，９を開くように操作すると載置板７上に広いスペースができ、このスペースに米袋３を縦置きにしてスプリング１０の付勢力で両側から挟み込むことができる。
【００１７】
米袋３の段積み及び段降ろしについて説明する。
段積みの場合には、昇降スイッチ１８を操作して米袋リフト装置６の載置板７を低い位置に移動し、米袋３を載置する。そして、昇降スイッチ１８を操作して所望の高さ（既に積み上げられた米袋３の直上位置）まで上昇させる。そして、段積みする側の取っ手９を把持して起立姿勢から横姿勢にし、取っ手９を案内体として米袋３を載置板７から横方向にずらすことで既に積み上げられた米袋３上に段積みする。
【００１８】
段降ろしの場合には、段積みの反対に、段積みされた米袋３の最上段の米袋３を把持して載置板７の位置までずらす。そして、昇降スイッチ１８を操作して載置板７を低い位置まで下降させる。
【００１９】
左右両側の米袋載置スペースに米袋３を最大可能袋数まで段積みすると、載置姿勢の載置板７を収納室５の後ろ側に回動させて収納姿勢とすることで、左右の米袋３の段積みの間のスペースを米袋３、その他の物品のスペースとして利用できるので、収納室５のスペースを最大限利用できる。
【００２０】
本実施例では、左右方向に米袋３を３体並列して載置可能な構成であるが、米袋リフト装置６が昇降可能なスペースがあればよい。この場合には、米袋３は左右２列の段積みと、米袋３の載置スペースより狭い物品スペースとからなり、保冷庫全体の大きさをコンパクトにすることができる。
【００２１】
本実施例は、保冷庫であるが、他に利用可能性として、冷蔵機能の無い米袋保管庫としても利用できる。
図３は別実施例で、収納室５内に載置板７の四隅を支持する支柱１２を４本設けて、複数段の載置板７を支持する構成にしても良い。
【００２２】
図４に示すように収納室５の底面上にスノコ１３を敷き、スノコの下に電気カーペット１４を設け、庫内のコンセント１５に電源プラグ１６を差し込むことが出来る構成にした。また保冷庫１の天井壁部には冷暖房ができる空調機１１を配置している。
【００２３】
したがって、空調機１１を運転することで冬場、収納室５内が設定温度より低下することを防止できる。また収納室５の温度調整ができるので、米以外の穀類をはじめとして食物の適温保管が可能となる。さらに、冬場のみ電気カーペット１４を設け、その季節以外では電気カーペット１４を取り外して、収納室５内を広く使用することもできる。
【符号の説明】
【００２４】
１  保冷庫                          ２  扉
３  米袋                            ５  収納室
６  米袋リフト装置                  ７  載置板
９  取っ手                          １０  スプリング
１１  空調機                        １２  支柱
１３  スノコ                        １４  電気カーペット
１５  コンセント
【図１】
2014211287.tif 000003
【図２】
2014211287.tif 000004
【図３】
2014211287.tif 000005
【図４】
2014211287.tif 000006